(57)【要約】【課題】複数枚の記録媒体を装着可能な駆動装置において、装着されている記録媒体の曲情報を迅速に表示することができるようにする。【解決手段】  記録再生装置２１は、ＭＤ（商標）１を格納するストッカ３２乃至３４を備えるＭＤチェンジャ３１を有している。メモリ５１には、ストッカ３２乃至３４と、そのストッカ３２乃至３４に格納されているＭＤ１のユニークＩＤとの対応関係、およびユニークＩＤと、そのユニークＩＤを有するＭＤ１に記録された曲の曲情報との対応関係が記憶される。制御部５０は、メモリ５１に記憶された２つの対応関係に基づいて、ストッカ３２乃至３４に格納されているＭＤ１の曲情報を表示させるための表示情報を表示部５２に供給し、表示部５２に表示させる。本発明は、例えば、光磁気ディスクの記録再生装置に適用できる。【選択図】図２
2005141869.tif 000002
【特許請求の範囲】
【請求項１】
記録媒体を格納する複数のストッカを有し、前記記録媒体を駆動する駆動装置において、
前記ストッカと、そのストッカに格納されている記録媒体をユニークに識別するユニークＩＤとの第1の対応関係、および前記ユニークＩＤと、そのユニークＩＤを有する前記記録媒体に記録されたデータの目次情報との第２の対応関係を記憶する記憶手段と、
前記記憶手段に記憶された前記第１および第２の対応関係に基づいて、前記ストッカに格納されている１以上の記録媒体に関する情報を表示手段に表示させる表示制御手段と
を備えることを特徴とする駆動装置。
【請求項２】
前記記憶手段に記憶された前記第２の対応関係を更新する更新手段をさらに備える
ことを特徴とする請求項１に記載の駆動装置。
【請求項３】
前記更新手段は、前記記録媒体が前記ストッカに格納されたときに、前記記憶手段に記憶された前記第２の対応関係を更新する
ことを特徴とする請求項２に記載の駆動装置。
【請求項４】
前記更新手段は、前記駆動装置の電源がオンまたはオフされたときに、前記記憶手段に記憶された前記第２の対応関係を更新する
ことを特徴とする請求項２に記載の駆動装置。
【請求項５】
前記更新手段は、前記複数のストッカに格納されたいずれの記録媒体の再生も行われていないときに、前記記憶手段に記憶された前記第２の対応関係を更新する
ことを特徴とする請求項２に記載の駆動装置。
【請求項６】
前記更新手段は、前記記録媒体を対象とした編集が行われたときに、前記記憶手段に記憶された前記第２の対応関係を更新する
ことを特徴とする請求項２に記載の駆動装置。
【請求項７】
前記更新手段は、前記ストッカに新たに格納された記録媒体のユニークＩＤが、前記第２の対応関係として、前記記憶手段に記憶されていないときに、前記ストッカに新たに格納された記録媒体のユニークＩＤと、そのユニークＩＤを有する記録媒体に記録されたデータの目次情報との第２の対応関係を、前記記憶手段に追加することにより、前記第２の対応関係を更新する
ことを特徴とする請求項２に記載の駆動装置。
【請求項８】
前記表示制御手段は、前記ストッカに格納されているすべての記録媒体に関する情報を表示手段に表示させる
ことを特徴とする請求項１に記載の駆動装置。
【請求項９】
記録媒体を格納する複数のストッカを有し、前記記録媒体を駆動する駆動装置における情報処理方法において、
前記ストッカと、そのストッカに格納されている記録媒体をユニークに識別するユニークＩＤとの第１の対応関係、および前記ユニークＩＤと、そのユニークＩＤを有する前記記録媒体に記録されたデータの目次情報との第２の対応関係を記憶手段に記憶させる記憶ステップと、
前記第１および第２の対応関係に基づいて、前記ストッカに格納されている１以上の記録媒体に関する情報を表示手段に表示させる表示制御ステップと
を含むことを特徴とする情報処理方法。
【請求項１０】
記録媒体を格納する複数のストッカを有し、前記記録媒体を駆動する駆動装置における情報処理を行うプログラムであって、
前記ストッカと、そのストッカに格納されている記録媒体をユニークに識別するユニークＩＤとの第１の対応関係、および前記ユニークＩＤと、そのユニークＩＤを有する前記記録媒体に記録されたデータの目次情報との第２の対応関係を記憶手段に記憶させる記憶ステップと、
前記第１および第２の対応関係に基づいて、前記ストッカに格納されている１以上の記録媒体に関する情報を表示手段に表示させる表示制御ステップと
を含むことを特徴とするコンピュータが読み取り可能なプログラムが記録されている記録媒体。
【請求項１１】
記録媒体を格納する複数のストッカを有し、前記記録媒体を駆動する駆動装置における情報処理を行うプログラムにおいて、
前記ストッカと、そのストッカに格納されている記録媒体をユニークに識別するユニークＩＤとの第１の対応関係、および前記ユニークＩＤと、そのユニークＩＤを有する前記記録媒体に記録されたデータの目次情報との第２の対応関係を記憶手段に記憶させる記憶ステップと、
前記第１および第２の対応関係に基づいて、前記ストッカに格納されている１以上の記録媒体に関する情報を表示手段に表示させる表示制御ステップと
を含む処理をコンピュータに実行させることを特徴とするプログラム。
【発明の詳細な説明】
【技術分野】
【０００１】
本発明は、駆動装置および情報処理方法、記録媒体、並びにプログラムに関し、特に、例えば、複数枚の記録媒体を格納可能な複数のストッカを有し、その記録媒体を駆動する駆動装置において、ストッカに格納されている記録媒体の曲情報等の記録媒体に関する情報を迅速に表示することができるようにする駆動装置および情報処理方法、記録媒体、並びにプログラムに関する。
【背景技術】
【０００２】
近年、記録媒体の記録容量の大容量化、および音声の圧縮技術の進歩により、１つの記録媒体に、多数の音楽データを記録することができるようになってきている。
【０００３】
例えば、MP(MPEG-1 Audio Layer)3、WMA(Windows(R) Media Audio)や、ATRAC(Adaptive TRansform Acoustic Coding)3などのオーディオ圧縮技術を用いることにより、ＣＤ(Compact Disk)なら200曲前後、ＭＤ(Mini Disk(商標))なら100曲前後が、1枚の記録媒体に記録可能となりつつある。
【０００４】
そして、ＣＤなどの光ディスク（記録媒体）を複数枚同時に装着することが可能なディスクチェンジャも提案されており、そのようなディスクチェンジャを搭載した再生装置もある（例えば、特許文献１，２参照）。
【０００５】
複数枚の記録媒体（例えば、ＣＤ）を装着することが可能な記録再生装置では、装置に挿入された記録媒体は、ストッカ（マガジンなどとも呼ばれる）に格納（収納）される。そして、ストッカに格納された所定の記録媒体（に記録された音楽データなど）の記録または再生が指示されると、その記録または再生が指示された記録媒体が、記録または再生を行う位置（以下、再生ポジションと称する）にロード(移動)され、その再生ポジションで記録または再生が実行される。
【０００６】
光磁気ディスクの一種であるＭＤに音楽データを記録する場合、記録装置は、ＭＤのプログラムエリアに記録される音楽データの、曲名、曲順（トラック番号）、アーティスト名などの曲情報を、ＭＤの記録が可能な領域（レコーダブルエリア）のうちの最内周に配置されるU-TOC(User's Table Of Contents)エリアに、U-TOC情報として記録する。
【０００７】
ＭＤに記録された音楽データを再生する再生装置は、ＭＤが装着されると、そのU-TOCエリアに記録されているU-TOC情報を読み込み、曲名、曲順（トラック番号）、アーティスト名などの曲情報を、例えば、LCD(Liquid Crystal display)などで構成される表示部に表示する。ユーザは、例えば、再生装置の表示部に表示された、曲名、曲順、アーティスト名などの曲情報を参照して、所望の曲を検索し、その曲を再生装置に再生させる。
【０００８】
【特許文献１】特許第３０９４５２０号
【特許文献２】特許第３３６３９７１号
【発明の開示】
【発明が解決しようとする課題】
【０００９】
例えば、記録と再生の両方の機能を備える記録再生装置が、３枚のＭＤを装着可能なディスクチェンジャを有しており、１枚のＭＤに100曲前後が記録可能であるとすると、その記録再生装置では、300曲程度の音楽データの記録が可能となり、ユーザが記録再生装置に装着されている３枚のＭＤに記録された300曲もの曲をすべて把握することは困難である。
【００１０】
従って、ユーザが、ストッカに格納されているＭＤに記録されている、曲名、曲順、アーティスト名などの曲情報を確認したいと所望したときには、従来の、ディスクチェンジャを有する記録再生装置では、一旦、ＭＤを再生ポジションにロードして、U-TOC情報を読み込み、曲情報を表示部に表示させていた。
【００１１】
しかしながら、この方法では、ストッカに格納されているＭＤの曲情報を迅速に表示することが困難であった。即ち、記録再生装置の表示部にＭＤの曲情報を表示するには、ＭＤを再生ポジションにロードして、U-TOC情報を読み込むまでの時間がかかってしまう課題があった。
【００１２】
本発明は、このような状況に鑑みてなされたものであり、複数枚の記録媒体を格納可能な複数のストッカを有し、その記録媒体を駆動する駆動装置において、ストッカに格納されている記録媒体の曲情報等の記録媒体に関する情報を迅速に表示することができるようにするものである。
【課題を解決するための手段】
【００１３】
本発明の駆動装置は、ストッカと、そのストッカそれぞれに格納されている記録媒体をユニークに識別するユニークＩＤとの第1の対応関係、およびユニークＩＤと、そのユニークＩＤを有する記録媒体に記録されたデータの目次情報との第２の対応関係を記憶する記憶手段と、記憶手段に記憶された第１および第２の対応関係に基づいて、ストッカに格納されている１以上の記録媒体に関する情報を表示手段に表示させる表示制御手段とを備えることを特徴とする。
【００１４】
この駆動装置には、記憶手段に記憶された第２の対応関係を更新する更新手段をさらに設けることができる。
【００１５】
更新手段には、記録媒体がストッカに格納されたときに、記憶手段に記憶された第２の対応関係を更新させることができる。
【００１６】
更新手段には、駆動装置の電源がオンまたはオフされたときに、記憶手段に記憶された第２の対応関係を更新させることができる。
【００１７】
更新手段には、複数のストッカに格納されたいずれの記録媒体の再生も行われていないときに、記憶手段に記憶された第２の対応関係を更新させることができる。
【００１８】
更新手段には、記録媒体を対象とした編集が行われたときに、記憶手段に記憶された第２の対応関係を更新させることができる。
【００１９】
更新手段には、ストッカに新たに格納された記録媒体のユニークＩＤが、第２の対応関係として、記憶手段に記憶されていないときに、ストッカに新たに格納された記録媒体のユニークＩＤと、そのユニークＩＤを有する記録媒体に記録されたデータの目次情報との第２の対応関係を、記憶手段に追加することにより、第２の対応関係を更新させることができる。
【００２０】
表示制御手段には、ストッカに格納されているすべての記録媒体に関する情報を表示手段に表示させることができる。
【００２１】
本発明の情報処理方法は、ストッカと、そのストッカに格納されている記録媒体をユニークに識別するユニークＩＤとの第１の対応関係、およびユニークＩＤと、そのユニークＩＤを有する記録媒体に記録されたデータの目次情報との第２の対応関係を記憶手段に記憶させる記憶ステップと、第１および第２の対応関係に基づいて、ストッカに格納されている１以上の記録媒体に関する情報を表示手段に表示させる表示制御ステップとを含むことを特徴とする。
【００２２】
本発明の記録媒体に記録されているプログラムは、ストッカと、そのストッカに格納されている記録媒体をユニークに識別するユニークＩＤとの第１の対応関係、およびユニークＩＤと、そのユニークＩＤを有する記録媒体に記録されたデータの目次情報との第２の対応関係を記憶手段に記憶させる記憶ステップと、第１および第２の対応関係に基づいて、ストッカに格納されている１以上の記録媒体に関する情報を表示手段に表示させる表示制御ステップとを含むことを特徴とする。
【００２３】
本発明のプログラムは、ストッカと、そのストッカに格納されている記録媒体をユニークに識別するユニークＩＤとの第１の対応関係、およびユニークＩＤと、そのユニークＩＤを有する記録媒体に記録されたデータの目次情報との第２の対応関係を記憶手段に記憶させる記憶ステップと、第１および第２の対応関係に基づいて、ストッカに格納されている１以上の記録媒体に関する情報を表示手段に表示させる表示制御ステップとを含む処理をコンピュータに実行させることを特徴とする。
【００２４】
本発明においては、ストッカと、そのストッカに格納されている記録媒体をユニークに識別するユニークＩＤとの第１の対応関係、およびユニークＩＤと、そのユニークＩＤを有する記録媒体に記録されたデータの目次情報との第２の対応関係を記憶する記憶手段に記憶された第１と第２の対応関係に基づいて、ストッカに格納されている１以上の記録媒体に関する情報が表示手段に表示される。
【発明の効果】
【００２５】
本発明によれば、複数枚の記録媒体を格納可能な複数のストッカを有し、その記録媒体を駆動する駆動装置において、ストッカに格納されている記録媒体の曲情報等の記録媒体に関する情報を迅速に表示することができる。
【発明を実施するための最良の形態】
【００２６】
以下に本発明の最良の形態を説明するが、開示される発明と実施の形態との対応関係を例示すると、次のようになる。本明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２７】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００２８】
本発明によれば、駆動装置が提供される。この駆動装置（例えば、図２の記録再生装置２１）は、ストッカと、そのストッカに格納されている記録媒体をユニークに識別するユニークＩＤとの第１の対応関係、およびユニークＩＤと、そのユニークＩＤを有する記録媒体に記録されたデータの目次情報との第２の対応関係を記憶する記憶手段（例えば、図２のメモリ５１）と、記憶手段に記憶された第１および第２の対応関係に基づいて、ストッカに格納されている１以上の記録媒体に関する情報を表示手段に表示させる表示制御手段（例えば、図５のステップＳ１３の処理を行う制御部５０）とを備える。
【００２９】
この駆動装置には、記憶手段に記憶された第２の対応関係を更新する更新手段（例えば、図６のステップＳ２３の処理を行う制御部５０）をさらに設けることができる。
【００３０】
更新手段は、記録媒体がストッカに格納されたときに、記憶手段に記憶された第２の対応関係を更新することができる。
【００３１】
更新手段は、駆動装置の電源がオンまたはオフされたときに、記憶手段に記憶された第２の対応関係を更新することができる。
【００３２】
更新手段は、複数のストッカに格納されたいずれの記録媒体の再生も行われていないときに、記憶手段に記憶された第２の対応関係を更新することができる。
【００３３】
更新手段は、記録媒体を対象とした編集が行われたときに、記憶手段に記憶された第２の対応関係を更新することができる。
【００３４】
更新手段は、ストッカに新たに格納された記録媒体のユニークＩＤが、第２の対応関係として、記憶手段に記憶されていないときに、ストッカに新たに格納された記録媒体のユニークＩＤと、そのユニークＩＤを有する記録媒体に記録されたデータの目次情報との第２の対応関係を、記憶手段に追加することにより、第２の対応関係を更新することができる。
【００３５】
表示制御手段は、ストッカに格納されているすべての記録媒体に関する情報を表示手段に表示させることができる。
【００３６】
本発明によれば、情報処理方法が提供される。この情報処理方法は、ストッカと、そのストッカに格納されている記録媒体をユニークに識別するユニークＩＤとの第１の対応関係、およびユニークＩＤと、そのユニークＩＤを有する記録媒体に記録されたデータの目次情報との第２の対応関係を記憶手段に記憶させる記憶ステップ（例えば、図４のステップＳ６）と、第１および第２の対応関係に基づいて、ストッカに格納されている１以上の記録媒体に関する情報を表示手段に表示させる表示制御ステップ（例えば、図５のステップＳ１３）とを含む。
【００３７】
また、本発明によれば、プログラムが提供される。このプログラムは、ストッカと、そのストッカに格納されている記録媒体をユニークに識別するユニークＩＤとの第１の対応関係、およびユニークＩＤと、そのユニークＩＤを有する記録媒体に記録されたデータの目次情報との第２の対応関係を記憶手段に記憶させる記憶ステップ（例えば、図４のステップＳ６）と、第１および第２の対応関係に基づいて、ストッカに格納されている１以上の記録媒体に関する情報を表示手段に表示させる表示制御ステップ（例えば、図５のステップＳ１３）とをコンピュータに実行させる。
【００３８】
このプログラムは、記録媒体に記録することができる。
【００３９】
図１は、光磁気ディスクの一種であるＭＤ１の構成例を示している。
【００４０】
ＭＤ１は、音楽データ等が記録されるディスク（光磁気ディスク）１１と、そのディスク１１を保護するカートリッジ１２とで構成される。
【００４１】
ディスク１１の記録領域は、図１に示すように、その内周側から、リードインエリア１３、U-TOCエリア１４、プログラムエリア１５、リードアウトエリア１６の４つの領域で構成される。
【００４２】
リードインエリア１３には、ディスク１１自身の情報（コントロール情報等）が書き込まれている。U-TOCエリア１４には、U-TOC情報が記録される。ここで、U-TOC情報は、プログラムエリア１５に記録されるデータの目次となる情報（目次情報）であり、例えば、プログラムエリア１５に記録されるデータが音楽データ（曲）である場合、曲の開始位置および終了位置、曲名、曲順（トラック番号）、アーティスト名などの曲情報を含む。
【００４３】
プログラムエリア１５には、ＭＤ１を識別するための、それぞれのＭＤ１にユニークなＩＤ(Identifier)（以下、ユニークＩＤ、またはＵＩＤと称する）と、実際の音楽データなどが記録される。ユニークＩＤは、ＭＤ１ごとに固有の識別コードであって、例えば、所定の方法で発生された乱数に基づいて決定されるものである。なお、ユニークＩＤは、ディスク１１に記録されていない場合もあり、そのような場合には、後から（例えば、初期化するときなど）ディスク１１に記録することが可能である。また、ユニークＩＤが記録される領域は、プログラムエリア１５に限定されない。即ち、ユニークＩＤは、例えば、リードインエリア１３に記録することもできる。
【００４４】
リードアウトエリア１６には、プログラムエリア１５の終端であることを示すための情報が書き込まれている。U-TOCエリア１４とプログラムエリア１５は、レコーダブルエリアであり、データの書き込み、書き換えが可能となされている。
【００４５】
図２は、図１のＭＤ１に記録された音楽データの曲を再生し、また、外部から入力される音楽データをＭＤ１に記録する、ＭＤ１の記録再生装置２１の一実施の形態の構成例を示すブロック図である。
【００４６】
なお、以下の実施の形態においては、図２の記録再生装置２１は、ＭＤ１に記録されている音楽データ（オーディオデータ）を曲として再生し、また、外部から記録再生装置２１に入力される音楽データをＭＤ１に記録する処理（記録再生処理）を行うものとするが、記録再生装置２１は、音楽データの他、画像データ（ビデオデータ）などについても、同様の処理を行うことができる。
【００４７】
記録再生装置２１は、３枚のＭＤ１を装着することができるＭＤチェンジャ３１を有している。ここで、ＭＤチェンジャ３１に装着（挿入）される３枚のＭＤ１それぞれの、プログラムエリア１５には、音楽データ（曲）とＭＤ１を識別するユニークＩＤとが既に記録されているものとする。また、U-TOCエリア１４には、プログラムエリア１５に記録されている音楽データの曲情報が既に記録されているものとする。
【００４８】
ＭＤチェンジャ３１は、３つのストッカ３２乃至３４および搬送部３５とで構成される。
【００４９】
ストッカ３２乃至３４それぞれは、１枚のＭＤ１を格納する。搬送部３５は、制御部５０の指令に基づいて、ストッカ３２乃至３４それぞれに格納されている１枚のＭＤ１を、ストッカ３２乃至３４と再生ポジション（図示せず）との間を移動させる（搬送する）。ここで、再生ポジションとは、上述したように、音楽データをＭＤ１に記録したり、音楽データをＭＤ１から読み出すときに、ＭＤ１が配置されるＭＤチェンジャ３１内の所定の位置を表す。例えば、搬送部３５は、制御部５０の指令に基づいて、再生ポジションに位置するＭＤ１をストッカ３２に格納したり（移動させたり）、ストッカ３４に格納されているＭＤ１を再生ポジションに移動させる。
【００５０】
スピンドルモータ４１は、サーボ部４２からのスピンドルモータ駆動信号に基づいて、ＭＤ１のディスク１１をCLV(Constant Linear Velocity)またはCAV(Constant Angular Velocity)等で回転駆動する。
【００５１】
サーボ部４２は、制御部５０からの指令に基づいて、スピンドルモータ４１を駆動するスピンドルモータ駆動信号を生成して、スピンドルモータ４１に出力する。また、サーボ部４２は、フォーカスサーボ動作やトラッキングサーボ動作を行う。即ち、サーボ部４２は、ＲＦアンプ部４４からのフォーカス誤差信号やトラッキング誤差信号に基づいてフォーカスサーボ信号またはトラッキングサーボ信号を生成し、ピックアンプ部４３のアクチュエータ（図示せず）に供給する。
【００５２】
ピックアップ部４３は、ＭＤチェンジャ３１の再生ポジションにあるディスク１１にレーザ光を集光して照射するとともに、ディスク１１からの反射光を光電変換して電流信号を生成し、ＲＦアンプ部４４に供給する。また、ピックアップ部４３は、信号処理部４５から供給される記録信号に基づき、レーザ光の出力を制御して、ディスク１１に記録信号を記録する。なお、レーザ光の照射位置は、サーボ部４２からピックアップ部４３に供給されるサーボ信号（フォーカスサーボ信号またはトラッキングサーボ信号）により所定の位置に制御される。
【００５３】
ＲＦアンプ部４４は、ピックアップ部４３からの電流信号に基づいて、フォーカス誤差信号およびトラッキング誤差信号、並びに再生信号を生成し、トラッキング誤差信号およびフォーカス誤差信号をサーボ部４２に供給し、再生信号を信号処理部４５に供給する。
【００５４】
信号処理部４５は、ＲＦアンプ部４４から供給される再生信号を復調して再生データ（音楽データ）を生成し、メモリコントローラ４６に供給する。また、信号処理部４５は、ＲＦアンプ部４４から供給される再生信号がディスク１１のU-TOCエリアに記録されたU-TOC情報である場合には、そのU-TOC情報を制御部５０に供給する。
【００５５】
さらに、信号処理部４５は、メモリコントローラ４６から供給される記録データ（音楽データ）を変調して記録信号を生成し、ピックアップ部４３に供給する。また、信号処理部４５は、制御部５０からU-TOC情報が供給された場合、そのU-TOC情報を記録信号に変調してピックアップ部４３に供給する。
【００５６】
メモリコントローラ４６は、信号処理部４５から供給される再生データを、適宜メモリ４７に記憶させるとともに、それを読み出し、データ変換部４８に供給する。また、メモリコントローラ４６は、データ変換部４８から供給される記録データを、適宜メモリ４７に記憶させるとともに、それを読み出し、信号処理部４５に供給する。メモリ４７は、メモリコントローラ４６から供給される再生データまたは記録データを記憶する。
【００５７】
データ変換部４８は、メモリコントローラ４６から供給される再生データを伸張して、所定のフォーマットの出力信号に変換し、例えば、図示せぬスピーカ等の外部の装置に出力する。また、データ変換部４８は、例えば、ＣＤプレーヤ等の外部の装置から供給される入力信号を所定のフォーマットで圧縮し、記録データを生成してメモリコントローラ４６に供給する。
【００５８】
制御部５０は、搬送部３５、サーボ部４２、信号処理部４５、メモリコントローラ４６、表示部４２、および入力部５３などの各部を制御し、記録再生処理を実行させる。なお、図２においては、一部の制御線が省略されている。
【００５９】
また、制御部５０は、その内部にメモリ５１を有し、信号処理部４５から供給されるU-TOC情報をメモリ５１に供給して記憶させる（書き込む）。即ち、メモリ５１は、ストッカ３２乃至３４に格納されたことがあるＭＤ１の、ユニークＩＤと曲情報を記憶する。なお、メモリ５１が記憶するデータの内容については、図３を参照して後述する。
【００６０】
さらに、入力部５３において、ユーザがＭＤ１に記録された曲の編集等を操作することに曲情報が更新された場合、制御部５０は、その更新された曲情報をメモリ５１に供給して書き込む（更新する）とともに、信号処理部４５に供給する。
【００６１】
また、制御部５０は、入力部５３から供給される、ＭＤ１の記録または再生を指示する指示情報に基づいて、指示されたＭＤ１が格納されているストッカ３２乃至３４と再生ポジションとの間を、ＭＤ１を移動させる指令を搬送部３５に供給する。
【００６２】
さらに、制御部５０は、メモリ５１に記憶されているデータに基づいて、いま記録または再生を行っているＭＤ１、およびストッカ３２乃至３４に格納されているＭＤ１の曲情報を表示させるための表示情報を表示部５２に供給し、表示部５２に表示させる。
【００６３】
表示部５２は、例えば、LCDなどのディスプレイで構成される。表示部５２は、制御部５０から供給される表示情報に基づいて、ＭＤチェンジャ３１に挿入されているＭＤ１の曲情報を表示する。
【００６４】
入力部５３は、キーボード、タッチパネル、ボタン、マウス、リモートコントローラ等により構成され、ユーザにより操作される。ユーザは、入力部５３において、ＭＤチェンジャ３１に挿入されているＭＤ１の曲情報を入力したり、ＭＤチェンジャ３１に挿入されているＭＤ１の再生または記録の指示を行う。入力部５３は、ユーザの操作に応じて、ＭＤ１の曲情報、および、ＭＤ１の記録または再生の指示情報などを、制御部５０に供給する。
【００６５】
以上のように構成される記録再生装置２１では、ＭＤチェンジャ３１のストッカ３２乃至３４に格納されたＭＤ１のディスク１１に記録されているユニークＩＤと曲情報が読み込まれ、メモリ５１に記憶される。そして、メモリ５１に記憶されたデータに基づいて、ＭＤチェンジャ３１に装着されたＭＤ１に記録（録音）されている曲の曲情報が、表示部５２に一覧表示される。
【００６６】
ユーザは、表示部５２に表示される、ＭＤチェンジャ３１に装着されているＭＤ１の曲情報を参照して、所望の曲を検索し、その曲（音楽データ）を記録再生装置２１に再生させることができる。
【００６７】
記録再生装置２１が、ＭＤチェンジャ３１に装着されているＭＤ１に記録された曲を再生する場合、制御部５０は、曲の再生が指示されたＭＤ１を、それが格納されているストッカ３２乃至３４から再生ポジションに移動させる指令を搬送部３５に供給する。
【００６８】
再生ポジションに移動されたＭＤ１に対して、ピックアップ部４３は、ユーザが再生を指示した曲が記録されている、ディスク１１の所定の位置にレーザ光を照射するとともに、ＭＤ１のディスク１１からの反射光を光電変換して電流信号を生成し、ＲＦアンプ部４４に供給する。ＲＦアンプ部４４は、ピックアップ部４３からの電流信号に基づいて、再生信号を生成し、その生成した再生信号を信号処理部４５に供給する。信号処理部４５は、ＲＦアンプ部４４から供給される再生信号を復調して得られる再生データをメモリコントローラ４６を介して、データ変換部４８に供給する。そして、データ変換部４８は、メモリコントローラ４６を介して供給された再生データを所定のフォーマットの出力信号に変換し、スピーカ等の外部の装置に出力する。
【００６９】
一方、記録再生装置２１が、ＣＤプレーヤ等の外部の装置から供給される入力信号を、ストッカ３２乃至３４に格納されているＭＤ１に記録する場合、制御部５０は、入力信号を記録するＭＤ１をストッカ３２乃至３４から再生ポジションに移動させる。
【００７０】
データ変換部４８は、入力信号を所定のフォーマットで圧縮し、記録データを生成し、その生成した記録データを、メモリコントローラ４６を介して信号処理部４５に供給する。信号処理部４５は、メモリコントローラ４６から供給される記録データ（音楽データ）を変調して記録信号を生成し、ピックアップ部４３に供給する。ピックアップ部４３は、信号処理部４５から供給される記録信号に基づき、レーザ光の出力を制御して、ディスク１１に記録信号を記録する。
【００７１】
図３は、制御部５０のメモリ５１に記憶されるデータを示している。
【００７２】
メモリ５１では、図３に示すように、テーブルＴ１とテーブルＴ２の２つのテーブルが記憶される。
【００７３】
テーブルＴ１は、ストッカ３２乃至３４と、そのストッカ３２乃至３４それぞれに格納されているＭＤ１から読み出された（ＭＤ１に記録されている）ユニークＩＤとの対応関係を記憶する。なお、図３では、ストッカ３２乃至３４は、ストッカNO.１乃至３としてそれぞれ表されており、ストッカNO.１乃至３は、ストッカ３２乃至３４にそれぞれ対応する。
【００７４】
図３のテーブルＴ１では、いまストッカ３２（ストッカNO.１）に格納されているＭＤ１のユニークＩＤが、ＭＤａであることが記憶されている。同様に、テーブルＴ１では、ストッカ３３（ストッカNO.２）に格納されているＭＤ１のユニークＩＤが、ＭＤｂであることが記憶されている。またテーブルＴ１では、ストッカ３４（ストッカNO.３）に格納されているＭＤ１のユニークＩＤがＭＤｃであることが記憶されている。なお、ストッカ３２乃至３４のうちの、例えば、ストッカ３２にＭＤ１が格納されていない場合には、テーブルＴ１において、ストッカ３２を表すストッカNO.1に対応するユニークＩＤには、ＭＤ１が格納されていない旨の情報が記憶される。ストッカ３３と３４についても同様である。
【００７５】
ストッカ３２乃至３４に別のＭＤ１が新たに格納（装着）された場合には、そのＭＤ１に記録されているユニークＩＤも当然異なることとなるので、制御部５０は、テーブルＴ１の、ＭＤ１が格納されたストッカ（ストッカ３２乃至３４のいずれか）に対応するユニークＩＤの欄に、新たに格納されたＭＤ１のユニークＩＤを上書きする形で書き込む（記憶させる）。
【００７６】
一方、テーブルＴ２は、ユニークＩＤと、そのユニークＩＤのＭＤ１に記録されている曲情報(TOC情報)との対応関係を記憶する。即ち、テーブルＴ２では、図３に示すように、ユニークＩＤがＭＤａであるＭＤ１には、曲情報Ａが記録されていることが記憶されている。また、テーブルＴ２では、ユニークＩＤがＭＤｂであるＭＤ１には、曲情報Ｂが記録されていることが記憶されている。同様に、テーブルＴ２では、ユニークＩＤがＭＤｃ、ＭＤｄ、ＭＤｅ、およびＭＤｆであるＭＤ１には、曲情報Ｃ、曲情報Ｄ、曲情報Ｅ、および曲情報Ｆがそれぞれ記録されていることが記憶されている。
【００７７】
制御部５０は、ストッカ３２乃至３４に格納されたＭＤ１のユニークＩＤを読み込み、そのユニークＩＤがテーブルＴ２に記憶されていないときに、読み込んだＭＤ１のユニークＩＤと曲情報の組を新たに追加する形でメモリ５１のテーブルＴ２に記憶させる（更新する）。従って、メモリ５１にテーブルＴ２として記憶されるユニークＩＤと曲情報の組の数は、次第に増大する。ところが、メモリ５１に記憶可能なユニークＩＤと曲情報の組の数は、その容量により当然限界がある。そこで、メモリ５１に記憶可能なユニークＩＤと曲情報の組の数が、上限の数に到達した場合、制御部５０は、次にユニークＩＤと曲情報の組を記憶するときには、例えば、データ（ユニークＩＤと曲情報の組）が記憶または更新された時刻が古い順に上書きする形でメモリ５１に記憶させるようにする。あるいは、テーブルＴ２の曲情報を表示部５２に表示させ、ユーザに、不要な曲情報を指定してもらい、その曲情報をテーブルＴ２から削除するようにしてもよい。
【００７８】
図４のフローチャートを参照して、ストッカ３２乃至３４に格納されるＭＤ１の曲情報を収集する記録再生装置２１の曲情報収集処理について説明する。図４の曲情報収集処理は、例えば、ＭＤ１がＭＤチェンジャ３１のストッカ３２乃至３４のうちのいずれかに新たに格納（装着）されたときに開始されるものとする。なお、図４では、曲情報収集処理の開始のトリガとなる、ＭＤ１の挿入において、その挿入されたＭＤ１を、その他の、既にＭＤチェンジャ３１に装着されているＭＤ１と区別して、挿入ＭＤ１と称する。
【００７９】
初めに、ステップＳ１において、制御部５０は、現在ＭＤチェンジャ３１に装着されているＭＤ１を再生中であるか否かを判定する。ＭＤ１を再生中であると判定された場合、ステップＳ１の処理が繰り返される。即ち、制御部５０は、ＭＤ１の再生が終了するまで待機する。
【００８０】
一方、ステップＳ１において、ＭＤ１を再生中ではないと判定された場合、ステップＳ２に進み、記録再生装置２１は、挿入ＭＤ１のプログラムエリア１５に記録されているユニークＩＤを読み出して、ステップＳ３に進む。即ち、ピックアップ部４３は、挿入ＭＤ１のディスク１１のプログラムエリア１５にレーザ光を照射するとともに、挿入ＭＤ１のディスク１１からの反射光を光電変換して電流信号を生成し、ＲＦアンプ部４４に供給する。ＲＦアンプ部４４は、ピックアップ部４３からの電流信号に基づいて、再生信号を生成し、その生成した再生信号を信号処理部４５に供給する。信号処理部４５は、ＲＦアンプ部４４から供給される再生信号を復調し、これにより得られる挿入ＭＤ１のユニークＩＤを制御部５０に供給する。
【００８１】
ステップＳ３において、制御部５０は、メモリ５１に記憶されているテーブルＴ１（図３）のストッカ３２乃至３４のうちの、挿入ＭＤ１が格納されたストッカに対応するユニークＩＤとして、ステップＳ２で読み出された挿入ＭＤ１のユニークＩＤを書き込んで（記憶させて）、ステップＳ４に進む。
【００８２】
ステップＳ４において、制御部５０は、ステップＳ２で読み出された挿入ＭＤ１のユニークＩＤと同一のユニークＩＤが、メモリ５１のテーブルＴ２（図３）に記憶されているか否かを判定する。ステップＳ４で、挿入ＭＤ１のユニークＩＤと同一のユニークＩＤが、メモリ５１のテーブルＴ２に記憶されていると判定された場合、ステップＳ５とＳ６をスキップして、処理を終了する。
【００８３】
一方、挿入ＭＤ１のユニークＩＤと同一のユニークＩＤが、メモリ５１のテーブルＴ２に記憶されていないと判定された場合、ステップＳ５に進み、制御部５０は、挿入ＭＤ１のU-TOCエリア１４に記録されている曲情報を読み出して、ステップＳ６に進む。即ち、ステップＳ２の処理と同様に、U-TOCエリア１４の再生信号が生成され、その再生信号を復調して得られる曲情報が制御部５０に供給される。
【００８４】
ステップＳ６において、制御部５０は、ステップＳ２の処理により得られる挿入ＭＤ１のユニークＩＤとステップＳ５の処理により得られる挿入ＭＤ１の曲情報とを対応させてユニークＩＤと曲情報の組とし、そのユニークＩＤと曲情報の組をメモリ５１のテーブルＴ２に書き込み（記憶させ）、処理を終了する。
【００８５】
次に、図５のフローチャートを参照して、ストッカ３２乃至３４に格納されているＭＤ１の曲情報を表示部５２に表示する、記録再生装置２１の曲情報表示処理について説明する。図５の曲情報表示処理は、例えば、入力部５３の、曲情報を表示させる表示ボタン等が操作されたときに開始される。
【００８６】
初めに、ステップＳ１１において、制御部５０は、メモリ５１のテーブルＴ１を参照して、ストッカ３２乃至３４に格納されているＭＤ１のユニークＩＤを認識して、ステップＳ１２に進む。
【００８７】
ステップＳ１２において、制御部５０は、メモリ５１のテーブルＴ２から、ステップＳ１１で認識した、ストッカ３２乃至３４に格納されているＭＤ１のユニークＩＤを検索して、ステップＳ１３に進む。
【００８８】
ステップＳ１３において、制御部５０は、ステップＳ１２で検索したユニークＩＤに対応する曲情報、即ち、ストッカ３２乃至３４に格納されているＭＤ１の曲情報を検出する。また、ステップＳ１３では、制御部５０は、その検出した曲情報を表示部５２に表示させるための表示情報を、表示部５２に供給する。表示部５２は、制御部５０から供給される表示情報に基づいて、いまＭＤチェンジャ３１に装着されている全てのＭＤ１の曲情報を表示して、処理を終了する。
【００８９】
以上のように、記録再生装置２１は、ストッカ３２乃至３４に格納されたＭＤ１を再生ポジションにロードしなくても、メモリ５１に記憶されたテーブルＴ１とＴ２により、ＭＤチェンジャ３１に装着されているＭＤ１の曲情報を認識することができる。従って、ストッカ３２乃至３４に格納されている全てのＭＤ１の曲情報を表示部５２に迅速に表示することができる。特に、ＭＤ１に数百曲等の多数の曲が記録されているときのように、ＭＤ１に記録されている曲情報を読み出すことに長い時間を必要とする場合には、有用である。なお、ＭＤ１の曲情報が多数あって表示部５２に一画面で表示できない場合には、スクロール可能なようにして表示部５２に表示するようにすればよい。
【００９０】
また、ユーザは、記録再生装置２１のＭＤチェンジャ３１に装着されている全てのＭＤ１の曲情報を同時に参照（閲覧）できるので、選曲する場合などにおいて、使い勝手が向上する。例えば、１２曲で構成される１枚のアルバムを、１乃至６曲目は、（例えば、ストッカ３２に格納されている）１番目のＭＤ１に、７乃至１２曲目は、（例えば、ストッカ３３に格納されている）２番目のＭＤ１に記録（録音）した場合などのように、複数のＭＤ１に曲（音楽データ）が２枚のＭＤ１にまたがって記録されているような場合には、特に、ユーザの使い勝手が向上する。
【００９１】
なお、以前に記録再生装置２１に装着されたことがなく、かつ、ユニークＩＤが記録されていないＭＤ１が記録再生装置２１に装着された場合には、記録再生装置２１は、そのＭＤ１にユニークＩＤを付加し、ＭＤ１に記録することができる。また、記録再生装置２１は、その新しく付加したユニークＩＤを、格納されたストッカ（ストッカ３２乃至３４のいずれか）に対応するユニークＩＤとしてテーブルＴ１に記憶し、また、そのユニークＩＤとＭＤ１から読み出した曲情報をテーブルＴ２に記憶するようにすることができる。この場合、記録再生装置２１は、例えば、制御部５０において、乱数を発生し、発生した乱数に基づいて、ユニークＩＤを生成するようにすることができる。
【００９２】
図４の曲情報収集処理では、新たなＭＤ１が記録再生装置２１（のＭＤチェンジャ３１）に挿入され、かつ、既に装着されているＭＤ１が再生されていないときに、記録再生装置２１は、挿入ＭＤ１のユニークＩＤの読み込み、並びにメモリ５１のテーブルＴ１およびＴ２への書き込み（更新）を行うようにした。このテーブルＴ１およびＴ２に記憶されているユニークＩＤと曲情報のデータは、常に最新の情報としておく必要があり、そのためには、上述した図４のタイミングに限らず、ストッカ３２乃至３４に格納されたＭＤ１の再生または記録の処理を妨げない任意のタイミングにおいて、テーブルＴ１およびＴ２に記憶されるユニークＩＤと曲情報のデータを更新するのが望ましい。
【００９３】
そこで、図６のフローチャートを参照して、任意のタイミングでテーブルＴ１およびＴ２の情報を更新する曲情報更新処理について説明する。
【００９４】
初めに、ステップＳ２１において、制御部５０は、更新トリガが発生したか否かを判定する。ここで、更新トリガとしては、例えば、ＭＤチェンジャ３１に装着されているＭＤ１に記録されている曲の追加、削除、順番の変更、および曲名の入力等の、編集が行われた場合、記録再生装置２１の電源がオンまたはオフされた場合、あるいは、記録再生装置２１の電源がオンされているときで、ストッカ３２乃至３４に格納されたいずれのＭＤ１の再生も行われていない時間が所定時間経過した場合、などがある。
【００９５】
ステップＳ２１で、更新トリガが発生していないと判定された場合、ステップＳ２２とＳ２３をスキップして、処理を終了する。
【００９６】
一方、ステップＳ２１で、更新トリガが発生したと判定された場合、ステップＳ２２に進み、制御部５０は、ストッカ３２乃至３４に格納されているＭＤ１のユニークＩＤをそれぞれ読み込み、テーブルＴ１の、読み込んだＭＤ１が格納されているストッカ３２乃至３４に対応するユニークＩＤを更新して、ステップＳ２３に進む。
【００９７】
ステップＳ２３において、制御部５０は、ストッカ３２乃至３４に格納されているＭＤ１のU-TOCエリア１４に記録されている曲情報をそれぞれ読み出し、その読み出した曲情報に、ストッカ３２乃至３４に格納されているＭＤ１の、メモリ５１のテーブルＴ２のユニークＩＤに対応する曲情報を更新して、処理を終了する。なお、メモリ５１のテーブルＴ２に、ストッカ３２乃至３４に格納されているＭＤ１のユニークＩＤがない場合には、制御部５０は、読み込んだＭＤ１のユニークＩＤと曲情報の組を新たに追加する形でメモリ５１のテーブルＴ２に記憶させる（更新する）。
【００９８】
以上のように、図６の曲情報更新処理によれば、ＭＤチェンジャ３１のストッカ３２乃至３４に格納されているＭＤ１のユニークＩＤに対応する、メモリ５１のテーブルＴ２の曲情報が、最新のものに更新される。
【００９９】
これにより、例えば、ＭＤチェンジャ３１のストッカ３２乃至３４に格納されているＭＤ１を対象とした編集が行われた場合においても、編集後の曲情報が迅速に表示部５２に表示されるので、ユーザは、ＭＤチェンジャ３１のストッカ３２乃至３４に格納されているＭＤ１の最新の曲情報を、すぐに参照（閲覧）することができる。
【０１００】
上述した一連の処理は、専用のハードウエアにより実行させることもできるし、ソフトウエアにより実行させることもできる。一連の処理をソフトウエアによって行う場合、例えば、その一連の処理は、図７に示されるような（パーソナル）コンピュータにプログラムを実行させることにより実現することができる。
【０１０１】
図７において、CPU（Central  Processing  Unit）１０１は、ROM（Read  Only  Memory）１０２に記憶されているプログラム、または記憶部１０８からRAM（Random  Access  Memory）１０３にロードされたプログラムに従って、ＭＤ１の記録再生処理、上述の曲情報収集処理、曲情報表示処理、および曲情報更新処理等の各種の処理を実行する。RAM１０３にはまた、CPU１０１が各種の処理を実行する上において必要なデータなども適宜記憶される。
【０１０２】
CPU１０１、ROM１０２、およびRAM１０３は、バス１０４を介して相互に接続されている。このバス１０４にはまた、入出力インタフェース１０５も接続されている。
【０１０３】
入出力インタフェース１０５には、キーボード、マウスなどよりなる入力部１０６、CRT(Cathode Ray Tube)、LCD(Liquid Crystal display)などよりなるディスプレイ、並びにスピーカなどよりなる出力部１０７、ハードディスクなどより構成される記憶部１０８、モデム、ターミナルアダプタなどより構成される通信部１０９が接続されている。通信部１０９は、インターネットなどのネットワークを介しての通信処理を行う。
【０１０４】
入出力インタフェース１０５にはまた、ドライブ１１０が接続され、磁気ディスク１２１、光ディスク１２２、光磁気ディスク１２３、或いは半導体メモリ１２４などが適宜装着され、それらに記録されている音楽データが再生されたり、記憶部１０８に記憶されている音楽データをそれらに記録する。また、磁気ディスク１２１、光ディスク１２２、光磁気ディスク１２３、或いは半導体メモリ１２４などから読み出されたコンピュータプログラムが、必要に応じて記憶部３０８にインストールされる。
【０１０５】
さらに、入出力インタフェース１０５には、３つのストッカ１３１乃至１３３を有するチェンジャ１１１も接続されている。ストッカ１３１乃至１３３それぞれは、ドライブ１１０に装着された磁気ディスク１２１、光ディスク１２２、光磁気ディスク１２３、或いは半導体メモリ１２４などの記録媒体を１枚ずつ格納する。
【０１０６】
上述した実施の形態では、記録再生装置２１は、３枚のＭＤ１をストッカ３２乃至３４に格納するようにしたが、記録再生装置２１がＭＤを格納することができる枚数は、３枚に限定されない。即ち、ストッカは、２つや４つ以上であってもよい。
【０１０７】
また、上述した実施の形態では、記録再生装置２１が記録または再生する記録媒体として、光磁気ディスクの一種であるＭＤの場合について説明したが、ＭＤ以外のその他の光磁気ディスクは勿論、光ディスク等のその他の記録媒体にも、本発明を適用することができる。
【０１０８】
図２の記録再生装置２１は、メモリ５１から読み出したＭＤ１の曲情報を表示部５２に表示するようにしたが、外部の表示装置にメモリ５１から読み出したＭＤ１の曲情報を表示するようにしてもよい。その場合、表示部５２を省略することができる。
【０１０９】
また、図３のテーブルＴ２には、ＭＤ１から読み出したU-TOC情報の全てを記憶せずに、その一部、例えば、曲のタイトルとアーティスト名のみ、などを記憶するようにしてもよい。
【０１１０】
さらに、記録再生装置２１がストッカ３２乃至３４に格納されたＭＤ１を駆動する際には、ＭＤ１から読み出したU-TOC情報を用いる代わりに、メモリ５１に記憶されているU-TOC情報を用いるようにしてもよい。
【０１１１】
また、記録再生装置２１は、２つのピックアップ部４３を設けることができる。その場合、記録再生装置２１は、一方のピックアップ部４３で再生ポジションに位置するＭＤ１の再生や記録の処理が行われているときであっても、他方のピックアップ部４３で、そのＭＤ１に記録されたユニークＩＤおよびU-TOC情報を読み出すことができる。
【０１１２】
なお、本明細書において、フローチャートに記述されたステップは、記載された順序に沿って時系列的に行われる処理はもちろん、必ずしも時系列的に処理されなくとも、並列的あるいは個別に実行される処理をも含むものである。
【図面の簡単な説明】
【０１１３】
【図１】光磁気ディスクであるＭＤ１の構成例を示す平面図である。
【図２】本発明を適用した記録再生装置２１の一実施の形態の構成例を示すブロック図である。
【図３】メモリ５１に記憶されるテーブルＴ１とＴ２を示す図である。
【図４】図２の記録再生装置２１の曲情報収集処理について説明するフローチャートである。
【図５】図２の記録再生装置２１の曲情報表示処理について説明するフローチャートである。
【図６】図２の記録再生装置２１の曲情報更新処理について説明するフローチャートである。
【図７】本発明を適用したコンピュータの一実施の形態の構成例を示すブロック図である。
【符号の説明】
【０１１４】
１    ＭＤ，  ２１    記録再生装置，  ３１    ＭＤチェンジャ，  ３２乃至３４    ストッカ，  ３５    搬送部，  ４１    スピンドルモータ，  ４２    サーボ部，  ４３    ピックアップ部，  ４４    ＲＦアンプ部，  ４５    信号処理部，  ４６    メモリコントローラ，  ４７    メモリ，  ４８    データ変換部，  ５０    制御部，  ５１    メモリ，  ５２    表示部，  ５３    入力部
【図１】
2005141869.tif 000003
【図２】
2005141869.tif 000004
【図３】
2005141869.tif 000005
【図４】
2005141869.tif 000006
【図５】
2005141869.tif 000007
【図６】
2005141869.tif 000008
【図７】
2005141869.tif 000009